(57)【特許請求の範囲】
【請求項１】
情報処理装置であって、
所定の登録処理に用いられる仮入力データの入力を一の端末装置から受け付ける第１の受付手段と、
前記第１の受付手段により受け付けられた前記仮入力データを前記所定の登録処理に用いられるデータ入力フォームに反映させる反映手段と、
前記反映手段により前記仮入力データが反映された前記データ入力フォームでの上書き修正を前記仮入力データから正式入力データへの更新入力として前記一の端末装置とは異なる他の端末装置又は当該情報処理装置から受け付ける第２の受付手段と、
前記正式入力データを所定のユーザ操作に応じて表示手段に印刷イメージで表示させる表示制御手段と、
を備え、
前記表示制御手段は、前記正式入力データを前記印刷イメージで表示させる際には、前記仮入力データと前記正式入力データとの間で内容が異なるデータを識別可能な表示態様で表示させることを特徴とする情報処理装置。
【請求項２】
前記表示制御手段は、前記正式入力データを前記印刷イメージで表示させる際には、前記正式入力データが所定の帳票イメージに反映された表示態様で表示させることを特徴とする請求項１に記載の情報処理装置。
【請求項３】
情報処理装置であって、
所定の登録処理に用いられる仮入力データの入力を一の端末装置から受け付ける第１の受付手段と、
前記第１の受付手段により受け付けられた前記仮入力データを前記所定の登録処理に用いられるデータ入力フォームに反映させる反映手段と、
前記反映手段により前記仮入力データが反映された前記データ入力フォームでの上書き修正を前記仮入力データから正式入力データへの更新入力として前記一の端末装置とは異なる他の端末装置又は当該情報処理装置から受け付ける第２の受付手段と、
前記正式入力データが反映された所定の帳票を所定のユーザ操作に応じて印刷手段により印刷させる印刷制御手段と、
を備え、
前記印刷制御手段は、前記正式入力データが反映された前記所定の帳票を前記印刷手段により印刷させる際には、前記仮入力データと前記正式入力データとの間で内容が異なるデータが識別可能なように前記所定の帳票を印刷させることを特徴とする情報処理装置。
【請求項４】
情報処理装置が実行する出力方法であって、
所定の登録処理に用いられる仮入力データの入力を一の端末装置から受け付ける第１の受付ステップと、
前記第１の受付ステップで受け付けられた前記仮入力データを前記所定の登録処理に用いられるデータ入力フォームに反映させる反映ステップと、
前記反映ステップで前記仮入力データが反映された前記データ入力フォームでの上書き修正を前記仮入力データから正式入力データへの更新入力として前記一の端末装置とは異なる他の端末装置又は当該情報処理装置から受け付ける第２の受付ステップと、
前記正式入力データを所定のユーザ操作に応じて表示手段に印刷イメージで表示させる表示制御ステップと、
を含み、
前記表示制御ステップは、前記正式入力データを前記印刷イメージで表示させる際には、前記仮入力データと前記正式入力データとの間で内容が異なるデータを識別可能な表示態様で表示させることを特徴とする出力方法。
【請求項５】
情報処理装置が実行する出力方法であって、
所定の登録処理に用いられる仮入力データの入力を一の端末装置から受け付ける第１の受付ステップと、
前記第１の受付ステップで受け付けられた前記仮入力データを前記所定の登録処理に用いられるデータ入力フォームに反映させる反映ステップと、
前記反映ステップで前記仮入力データが反映された前記データ入力フォームでの上書き修正を前記仮入力データから正式入力データへの更新入力として前記一の端末装置とは異なる他の端末装置又は当該情報処理装置から受け付ける第２の受付ステップと、
前記正式入力データが反映された所定の帳票を所定のユーザ操作に応じて印刷手段により印刷させる印刷制御ステップと、
を含み、
前記印刷制御ステップは、前記正式入力データが反映された前記所定の帳票を前記印刷手段により印刷させる際には、前記仮入力データと前記正式入力データとの間で内容が異なるデータが識別可能なように前記所定の帳票を印刷させることを特徴とする出力方法。
【請求項６】
情報処理装置のコンピュータを、
所定の登録処理に用いられる仮入力データの入力を一の端末装置から受け付ける第１の受付手段、
前記第１の受付手段により受け付けられた前記仮入力データを前記所定の登録処理に用いられるデータ入力フォームに反映させる反映手段、
前記反映手段により前記仮入力データが反映された前記データ入力フォームでの上書き修正を前記仮入力データから正式入力データへの更新入力として前記一の端末装置とは異なる他の端末装置又は当該情報処理装置から受け付ける第２の受付手段、
前記正式入力データを所定のユーザ操作に応じて表示手段に印刷イメージで表示させる表示制御手段、
として機能させ、
前記表示制御手段は、前記正式入力データを前記印刷イメージで表示させる際には、前記仮入力データと前記正式入力データとの間で内容が異なるデータを識別可能な表示態様で表示させることを特徴とするプログラム。
【請求項７】
情報処理装置のコンピュータを、
所定の登録処理に用いられる仮入力データの入力を一の端末装置から受け付ける第１の受付手段、
前記第１の受付手段により受け付けられた前記仮入力データを前記所定の登録処理に用いられるデータ入力フォームに反映させる反映手段、
前記反映手段により前記仮入力データが反映された前記データ入力フォームでの上書き修正を前記仮入力データから正式入力データへの更新入力として前記一の端末装置とは異なる他の端末装置又は当該情報処理装置から受け付ける第２の受付手段、
前記正式入力データが反映された所定の帳票を所定のユーザ操作に応じて印刷手段により印刷させる印刷制御手段、
として機能させ、
前記印刷制御手段は、前記正式入力データが反映された前記所定の帳票を前記印刷手段により印刷させる際には、前記仮入力データと前記正式入力データとの間で内容が異なるデータが識別可能なように前記所定の帳票を印刷させることを特徴とするプログラム。
【請求項８】
ローカルサーバと、当該ローカルサーバとネットワークを介して接続されるクラウド環境に設けられたクラウドサーバと、を備える情報処理システムであって、
前記クラウドサーバは、
所定の登録処理に用いられる仮入力データの入力を一の端末装置から受け付ける第１の受付手段と、
前記ローカルサーバからの送信要求に基づき、前記仮入力データを当該ローカルサーバへ送信する送信手段と、
を備え、
前記ローカルサーバは、
自ローカルサーバで実行される前記所定の登録処理に用いられる前記仮入力データが前記クラウドサーバに受け付けられているか監視する監視手段と、
前記監視手段により前記仮入力データが受け付けられていると判別された場合に、前記クラウドサーバに対して当該仮入力データの送信を要求する送信要求手段と、
前記送信要求手段により送信の要求がなされた前記仮入力データを受信する受信手段と、
前記受信手段により受信された前記仮入力データを、前記所定の登録処理に用いられるデータ入力フォームに反映させる反映手段と、
前記反映手段により前記仮入力データが反映された前記データ入力フォームでの上書き修正を前記仮入力データから正式入力データへの更新入力として前記一の端末装置とは異なる他の端末装置又は当該ローカルサーバから受け付ける第２の受付手段と、
前記正式入力データを所定のユーザ操作に応じて表示手段に印刷イメージで表示させる表示制御手段と、
を備え、
前記表示制御手段は、前記正式入力データを前記印刷イメージで表示させる際には、前記仮入力データと前記正式入力データとの間で内容が異なるデータを識別可能な表示態様で表示させることを特徴とする情報処理システム。
【請求項９】
ローカルサーバと、当該ローカルサーバとネットワークを介して接続されるクラウド環境に設けられたクラウドサーバと、を備える情報処理システムであって、
前記クラウドサーバは、
所定の登録処理に用いられる仮入力データの入力を一の端末装置から受け付ける第１の受付手段と、
前記ローカルサーバからの送信要求に基づき、前記仮入力データを当該ローカルサーバへ送信する送信手段と、
を備え、
前記ローカルサーバは、
自ローカルサーバで実行される前記所定の登録処理に用いられる前記仮入力データが前記クラウドサーバに受け付けられているか監視する監視手段と、
前記監視手段により前記仮入力データが受け付けられていると判別された場合に、前記クラウドサーバに対して当該仮入力データの送信を要求する送信要求手段と、
前記送信要求手段により送信の要求がなされた前記仮入力データを受信する受信手段と、
前記受信手段により受信された前記仮入力データを、前記所定の登録処理に用いられるデータ入力フォームに反映させる反映手段と、
前記反映手段により前記仮入力データが反映された前記データ入力フォームでの上書き修正を前記仮入力データから正式入力データへの更新入力として前記一の端末装置とは異なる他の端末装置又は当該ローカルサーバから受け付ける第２の受付手段と、
前記正式入力データが反映された所定の帳票を所定のユーザ操作に応じて印刷手段により印刷させる印刷制御手段と、
を備え、
前記印刷制御手段は、前記正式入力データが反映された前記所定の帳票を前記印刷手段により印刷させる際には、前記仮入力データと前記正式入力データとの間で内容が異なるデータが識別可能なように前記所定の帳票を印刷させることを特徴とする情報処理システム。
【発明の詳細な説明】
【技術分野】
【０００１】
本発明は、情報処理装置、出力方法、プログラム及び情報処理システム関する。
【背景技術】
【０００２】
従来、受発注等の取引データを入力し受発注伝票の登録を行う会計システムが知られている。このような会計システムでは、例えば、取引データを入力する際に、入力項目を極力少なくすることで、取引データの入力手続きを簡単にできる仕組が開示されている（特許文献１参照）。
【先行技術文献】
【特許文献】
【０００３】
【特許文献１】特開２００７−１８８４４２号公報
【発明の概要】
【発明が解決しようとする課題】
【０００４】
しかしながら、上記特許文献１に開示されている会計システムでは、例えば、注文を受けた営業担当者から連絡を受けて事務担当者がこの注文に係る取引データの入力手続きを行うような場合、入力手続きがなされた取引データを営業担当者が確認した際に当初の注文内容が変更されていたとしても一見しただけではその変更に気付き難い。そのため、取引データの変更点について検討されず、当該取引データの内容を正しく把握できないおそれがある。
【０００５】
この発明の目的は、取引データの入力手続きにおける内容変更を容易に把握することのできる情報処理装置、出力方法、プログラム及び情報処理システムを提供することにある。
【課題を解決するための手段】
【０００６】
上記課題を解決するため、本発明に係る第１の態様の情報処理装置は、所定の登録処理に用いられる仮入力データの入力を一の端末装置から受け付ける第１の受付手段と、前記第１の受付手段により受け付けられた前記仮入力データを前記所定の登録処理に用いられるデータ入力フォームに反映させる反映手段と、前記反映手段により前記仮入力データが反映された前記データ入力フォームでの上書き修正を前記仮入力データから正式入力データへの更新入力として前記一の端末装置とは異なる他の端末装置又は当該情報処理装置から受け付ける第２の受付手段と、前記正式入力データを所定のユーザ操作に応じて表示手段に印刷イメージで表示させる表示制御手段と、を備え、前記表示制御手段は、前記正式入力データを前記印刷イメージで表示させる際には、前記仮入力データと前記正式入力データとの間で内容が異なるデータを識別可能な表示態様で表示させることを特徴とする。
また、本発明に係る第２の態様の情報処理装置は、所定の登録処理に用いられる仮入力データの入力を一の端末装置から受け付ける第１の受付手段と、前記第１の受付手段により受け付けられた前記仮入力データを前記所定の登録処理に用いられるデータ入力フォームに反映させる反映手段と、前記反映手段により前記仮入力データが反映された前記データ入力フォームでの上書き修正を前記仮入力データから正式入力データへの更新入力として前記一の端末装置とは異なる他の端末装置又は当該情報処理装置から受け付ける第２の受付手段と、前記正式入力データが反映された所定の帳票を所定のユーザ操作に応じて印刷手段により印刷させる印刷制御手段と、を備え、前記印刷制御手段は、前記正式入力データが反映された前記所定の帳票を前記印刷手段により印刷させる際には、前記仮入力データと前記正式入力データとの間で内容が異なるデータが識別可能なように前記所定の帳票を印刷させることを特徴とする。
また、本発明に係る第１の態様の出力方法は、情報処理装置が実行する出力方法であって、所定の登録処理に用いられる仮入力データの入力を一の端末装置から受け付ける第１の受付ステップと、前記第１の受付ステップで受け付けられた前記仮入力データを前記所定の登録処理に用いられるデータ入力フォームに反映させる反映ステップと、前記反映ステップで前記仮入力データが反映された前記データ入力フォームでの上書き修正を前記仮入力データから正式入力データへの更新入力として前記一の端末装置とは異なる他の端末装置又は当該情報処理装置から受け付ける第２の受付ステップと、前記正式入力データを所定のユーザ操作に応じて表示手段に印刷イメージで表示させる表示制御ステップと、を含み、前記表示制御ステップは、前記正式入力データを前記印刷イメージで表示させる際には、前記仮入力データと前記正式入力データとの間で内容が異なるデータを識別可能な表示態様で表示させることを特徴とする。
また、本発明に係る第２の態様の出力方法は、情報処理装置が実行する出力方法であって、所定の登録処理に用いられる仮入力データの入力を一の端末装置から受け付ける第１の受付ステップと、前記第１の受付ステップで受け付けられた前記仮入力データを前記所定の登録処理に用いられるデータ入力フォームに反映させる反映ステップと、前記反映ステップで前記仮入力データが反映された前記データ入力フォームでの上書き修正を前記仮入力データから正式入力データへの更新入力として前記一の端末装置とは異なる他の端末装置又は当該情報処理装置から受け付ける第２の受付ステップと、前記正式入力データが反映された所定の帳票を所定のユーザ操作に応じて印刷手段により印刷させる印刷制御ステップと、を含み、前記印刷制御ステップは、前記正式入力データが反映された前記所定の帳票を前記印刷手段により印刷させる際には、前記仮入力データと前記正式入力データとの間で内容が異なるデータが識別可能なように前記所定の帳票を印刷させることを特徴とする。
また、本発明に係る第１の態様のプログラムは、情報処理装置のコンピュータを、所定の登録処理に用いられる仮入力データの入力を一の端末装置から受け付ける第１の受付手段、前記第１の受付手段により受け付けられた前記仮入力データを前記所定の登録処理に用いられるデータ入力フォームに反映させる反映手段、前記反映手段により前記仮入力データが反映された前記データ入力フォームでの上書き修正を前記仮入力データから正式入力データへの更新入力として前記一の端末装置とは異なる他の端末装置又は当該情報処理装置から受け付ける第２の受付手段、前記正式入力データを所定のユーザ操作に応じて表示手段に印刷イメージで表示させる表示制御手段、として機能させ、前記表示制御手段は、前記正式入力データを前記印刷イメージで表示させる際には、前記仮入力データと前記正式入力データとの間で内容が異なるデータを識別可能な表示態様で表示させることを特徴とする。
また、本発明に係る第２の態様のプログラムは、情報処理装置のコンピュータを、所定の登録処理に用いられる仮入力データの入力を一の端末装置から受け付ける第１の受付手段、前記第１の受付手段により受け付けられた前記仮入力データを前記所定の登録処理に用いられるデータ入力フォームに反映させる反映手段、前記反映手段により前記仮入力データが反映された前記データ入力フォームでの上書き修正を前記仮入力データから正式入力データへの更新入力として前記一の端末装置とは異なる他の端末装置又は当該情報処理装置から受け付ける第２の受付手段、前記正式入力データが反映された所定の帳票を所定のユーザ操作に応じて印刷手段により印刷させる印刷制御手段、として機能させ、前記印刷制御手段は、前記正式入力データが反映された前記所定の帳票を前記印刷手段により印刷させる際には、前記仮入力データと前記正式入力データとの間で内容が異なるデータが識別可能なように前記所定の帳票を印刷させることを特徴とする。
また、本発明に係る第１の態様の情報処理システムは、ローカルサーバと、当該ローカルサーバとネットワークを介して接続されるクラウド環境に設けられたクラウドサーバと、を備える情報処理システムであって、前記クラウドサーバは、所定の登録処理に用いられる仮入力データの入力を一の端末装置から受け付ける第１の受付手段と、前記ローカルサーバからの送信要求に基づき、前記仮入力データを当該ローカルサーバへ送信する送信手段と、を備え、前記ローカルサーバは、自ローカルサーバで実行される前記所定の登録処理に用いられる前記仮入力データが前記クラウドサーバに受け付けられているか監視する監視手段と、前記監視手段により前記仮入力データが受け付けられていると判別された場合に、前記クラウドサーバに対して当該仮入力データの送信を要求する送信要求手段と、前記送信要求手段により送信の要求がなされた前記仮入力データを受信する受信手段と、前記受信手段により受信された前記仮入力データを、前記所定の登録処理に用いられるデータ入力フォームに反映させる反映手段と、前記反映手段により前記仮入力データが反映された前記データ入力フォームでの上書き修正を前記仮入力データから正式入力データへの更新入力として前記一の端末装置とは異なる他の端末装置又は当該ローカルサーバから受け付ける第２の受付手段と、前記正式入力データを所定のユーザ操作に応じて表示手段に印刷イメージで表示させる表示制御手段と、を備え、前記表示制御手段は、前記正式入力データを前記印刷イメージで表示させる際には、前記仮入力データと前記正式入力データとの間で内容が異なるデータを識別可能な表示態様で表示させることを特徴とする。
また、本発明に係る第２の態様の情報処理システムは、ローカルサーバと、当該ローカルサーバとネットワークを介して接続されるクラウド環境に設けられたクラウドサーバと、を備える情報処理システムであって、前記クラウドサーバは、所定の登録処理に用いられる仮入力データの入力を一の端末装置から受け付ける第１の受付手段と、前記ローカルサーバからの送信要求に基づき、前記仮入力データを当該ローカルサーバへ送信する送信手段と、を備え、前記ローカルサーバは、自ローカルサーバで実行される前記所定の登録処理に用いられる前記仮入力データが前記クラウドサーバに受け付けられているか監視する監視手段と、前記監視手段により前記仮入力データが受け付けられていると判別された場合に、前記クラウドサーバに対して当該仮入力データの送信を要求する送信要求手段と、前記送信要求手段により送信の要求がなされた前記仮入力データを受信する受信手段と、前記受信手段により受信された前記仮入力データを、前記所定の登録処理に用いられるデータ入力フォームに反映させる反映手段と、前記反映手段により前記仮入力データが反映された前記データ入力フォームでの上書き修正を前記仮入力データから正式入力データへの更新入力として前記一の端末装置とは異なる他の端末装置又は当該ローカルサーバから受け付ける第２の受付手段と、前記正式入力データが反映された所定の帳票を所定のユーザ操作に応じて印刷手段により印刷させる印刷制御手段と、を備え、前記印刷制御手段は、前記正式入力データが反映された前記所定の帳票を前記印刷手段により印刷させる際には、前記仮入力データと前記正式入力データとの間で内容が異なるデータが識別可能なように前記所定の帳票を印刷させることを特徴とする。
【発明の効果】
【０００７】
本発明によれば、取引データの入力手続きにおける内容変更を容易に把握することができる。
【図面の簡単な説明】
【０００８】
【図１】本発明の実施の形態の販売管理システムを示すブロック図である。
【図２】クラウドサーバの機能構成を示すブロック図である。
【図３】ローカルサーバの機能構成を示すブロック図である。
【図４】第１の端末装置の機能構成を示すブロック図である。
【図５】第２の端末装置の機能構成を示すブロック図である。
【図６】クラウドサーバへのログインを行うためのログイン画面を示す図である。
【図７】受注入力業務メニュー画面を示す図である。
【図８】受注メモ入力画面を示す図である。
【図９】受注伝票業務メニュー画面を示す図である。
【図１０】クラウド受注取込画面を示す図である。
【図１１】受注メモを取り込んだ後に表示される受注伝票入力画面を示す図である。
【図１２】受注商品一覧表に新たに受注商品を追加入力した受注伝票入力画面を示す図である。
【図１３】注文書印刷画面を示す図である。
【図１４】注文書印刷画面を示す図である。
【図１５】販売管理システムを利用した受注業務の流れの一例を示すフローチャートである。
【図１６】受注メモ登録処理を示すフローチャートである。
【図１７】注文書プレビュー表示処理を示すフローチャートである。
【発明を実施するための形態】
【０００９】
＜販売管理システムの構成＞
先ず、販売管理システム１００（情報処理装置、情報処理システム）の概略構成について、図１を参照して説明する。
図１は、販売管理システム１００の概略構成を示す図である。
図１に示すように、本実施形態の販売管理システム１００は、クラウドサーバ１と、複数のローカルサーバ２と、複数の第１の端末装置３と、複数の第２の端末装置４とを備えている。クラウドサーバ１と各ローカルサーバ２とは、例えば、インターネット５を介して情報通信可能に接続されている。また、各ローカルサーバ２は、例えば、ＬＡＮ（Local Area Network）６を介して第１の端末装置３と情報通信可能に接続されている。また、第２の端末装置４は、インターネット５を介してクラウドサーバ１と情報通信可能に接続されている。
【００１０】
クラウドサーバ１は、販売管理システム１００の一環としてのクラウドサービスをユーザに提供するサーバであり、業務情報に係る業務情報ＤＢ（データベース）をユーザ（クライアント）ごとに記憶し管理する。また、クラウドサーバ１は、種々のプログラムを実行することで、業務情報ＤＢに関する各種データ処理（例えば、受注メモ（後述）の登録、照会、伝票や請求書等の閲覧、経営分析などに係る機能を実現するための処理）を行う。クラウドサーバ１へは、認証情報による認証に成功した場合にアクセスすることができるようになっている。
【００１１】
ローカルサーバ２は、例えば、個人企業のオーナー、中小企業のオーナー、個人商店の店主等のユーザ（クライアント）の拠点に設置されるサーバであり、このユーザの業務情報に係る業務情報ＤＢを記憶し管理する。また、ローカルサーバ２は、予めインストールされた種々のプログラムを実行することで、業務情報ＤＢに関する各種データ処理（例えば、売上管理、仕入管理、在庫管理などに係る機能を実現するための処理）を行う。
【００１２】
第１の端末装置３は、例えば、タブレットＰＣ（Personal Computer）、ノートＰＣ、デスクトップＰＣ等である。第１の端末装置３は、ＬＡＮ６を介して、ローカルサーバ２に記憶されている業務情報ＤＢを共有し、ローカルサーバ２と同様、予めインストールされた種々のプログラムを実行することで、当該業務情報ＤＢに関する各種データ処理を行う。
【００１３】
第２の端末装置４は、例えば、ユーザが外出先において使用することのできるスマートフォン、タブレットＰＣ、携帯電話機、ＰＤＡ、ノートＰＣ、デスクトップＰＣ等である。第２の端末装置４は、ユーザの入力操作を受け付け、当該入力操作に基づく情報をクラウドサーバ１に送信し、クラウドサーバ１から送信されて受信した情報を表示する。なお、第２の端末装置４は上述の第１の端末装置３が兼ねるようにしても良い。
【００１４】
図２は、クラウドサーバ１の機能的構成を示すブロック図である。
図２に示すように、クラウドサーバ１は、ＣＰＵ（Central Processing Unit）１１（第１の受付手段、送信手段）と、ＲＡＭ（Random Access Memory）１２と、記憶部１３と、操作部１４と、表示部１５と、通信部１６（送信手段）とを備えている。また、クラウドサーバ１の各部は、バス１７を介して接続されている。
【００１５】
ＣＰＵ１１は、クラウドサーバ１の各部を制御する。ＣＰＵ１１は、記憶部１３に記憶されているシステムプログラム及びアプリケーションプログラムのうち、指定されたプログラムを読み出し、ＲＡＭ１２のワークエリアに展開し、当該プログラムに従って各種処理を実行する。
【００１６】
ＲＡＭ１２は、例えば、揮発性のメモリであり、ＣＰＵ１１により読み出された各種のプログラムやデータを一時的に格納するワークエリアを有する。
【００１７】
記憶部１３は、例えば、ＨＤＤ（Hard Disk Drive）、ＳＳＤ（Solid State Drive）等により構成され、データ及びプログラムを書き込み及び読み出し可能な記憶部である。また、記憶部１３は、プログラム１３ａ、アカウントＤＢ１３ｂ、業務情報ＤＢ１３ｃなどを記憶している。
【００１８】
プログラム１３ａは、ＣＰＵ１１により実行される上述の各種システムプログラム及びアプリケーションプログラムを含む。
アカウントＤＢ１３ｂは、販売管理システム１００のユーザのアカウントに係る情報が登録されている。ここで、アカウントに係る情報には、アカウントごとに固有のユーザ名及びパスワードが含まれる。本実施形態では、ユーザ名とパスワードとの組み合わせにより認証情報が構成される。
業務情報ＤＢ１３ｃは、販売管理システム１００における管理対象（各ローカルサーバ２を所有しているユーザ）の業務情報が登録されたデータベースである。この業務情報ＤＢ１３ｃには、後述する受注メモを登録するための受注明細ＤＢが含まれている。
【００１９】
操作部１４は、例えば、キーボード等のキー入力部と、マウス等のポインティングデバイスとを有している。また、操作部１４は、キー入力及び位置入力を受け付け、その操作情報をＣＰＵ１１に出力する。
【００２０】
表示部１５は、例えば、ＬＣＤ（Liquid Crystal Display）や有機ＥＬ（Electro Luminescence）ディスプレイ等から構成されている。また、表示部１５には、ＣＰＵ１１から入力される表示信号の指示に従って、各種画面を表示する。
【００２１】
通信部１６は、例えば、ネットワークカード等により構成されている。また、通信部１６は、インターネット５に通信接続されて、インターネット５上の機器（例えば、ローカルサーバ２、第２の端末装置４等）との通信を行う。
【００２２】
図３は、ローカルサーバ２の機能的構成を示すブロック図である。
図３に示すように、ローカルサーバ２は、ＣＰＵ２１（監視手段、送信要求手段、受信手段、反映手段、第２の受付手段、表示制御手段）と、ＲＡＭ２２と、記憶部２３と、操作部２４と、表示部２５（表示手段）と、通信部２６（受信手段）とを備えている。また、ローカルサーバ２の各部は、バス２７を介して接続されている。
【００２３】
ＣＰＵ２１は、ローカルサーバ２の各部を制御する。ＣＰＵ２１は、記憶部２３に記憶されているシステムプログラム及びアプリケーションプログラムのうち、指定されたプログラムを読み出し、ＲＡＭ２２のワークエリアに展開し、当該プログラムに従って各種処理を実行する。
【００２４】
ＲＡＭ２２は、例えば、揮発性のメモリであり、ＣＰＵ２１により読み出された各種のプログラムやデータを一時的に格納するワークエリアを有する。
【００２５】
記憶部２３は、例えば、ＨＤＤ、ＳＳＤ等により構成され、データ及びプログラムを書き込み及び読み出し可能な記憶部である。また、記憶部２３は、プログラム２３ａ、業務情報ＤＢ２３ｂなどを記憶している。
【００２６】
プログラム２３ａは、ＣＰＵ２１により実行される上述の各種システムプログラム及びアプリケーションプログラムを含む。
業務情報ＤＢ２３ｂは、販売管理システム１００における管理対象（当該業務情報ＤＢ２３ｂを記憶しているローカルサーバ２を所有しているユーザ）の業務情報が登録されたデータベースである。
操作部２４、表示部２５及び通信部２６の構成は、クラウドサーバ１の操作部１４、表示部１５及び通信部１６の構成と同様であるので詳細な説明は省略する。
【００２７】
図４は、第１の端末装置３の機能的構成を示すブロック図である。
図４に示すように、第１の端末装置３は、ＣＰＵ３１と、ＲＡＭ３２と、記憶部３３と、操作部３４と、表示部３５（表示手段）と、通信部３６とを備えている。また、第１の端末装置３の各部は、バス３７を介して接続されている。
【００２８】
ＣＰＵ３１は、第１の端末装置３の各部を制御する。ＣＰＵ３１は、記憶部３３に記憶されているシステムプログラム及びアプリケーションプログラムのうち、指定されたプログラムを読み出し、ＲＡＭ３２のワークエリアに展開し、当該プログラムに従って各種処理を実行する。その際に、ＣＰＵ３１は、ＲＡＭ３２内に各種処理結果を格納させ、必要に応じてその処理結果を表示部３５に表示させる。
【００２９】
ＲＡＭ３２は、例えば、揮発性のメモリであり、ＣＰＵ３１により読み出された各種のプログラムやデータを一時的に格納するワークエリアを有する。
【００３０】
記憶部３３は、例えば、ＨＤＤ、ＳＳＤ等により構成され、データ及びプログラムを書き込み及び読み出し可能な記憶部である。また、記憶部３３は、プログラム３３ａを記憶している。プログラム３３ａは、ＣＰＵ３１により実行される上述の各種システムプログラム及びアプリケーションプログラムを含む。
【００３１】
操作部３４、表示部３５及び通信部３６の構成は、クラウドサーバ１の操作部１４、表示部１５及び通信部１６の構成と同様であるので詳細な説明は省略する。
【００３２】
図５は、第２の端末装置４の機能的構成を示すブロック図である。
図５に示すように、第２の端末装置４は、ＣＰＵ４１と、ＲＡＭ４２と、記憶部４３と、操作部４４と、表示部４５と、通信部４６とを備えている。また、第２の端末装置４の各部は、バス４７を介して接続されている。なお、第２の端末装置４の構成は、第１の端末装置３の構成と同様であるので詳細な説明は省略する。
【００３３】
＜販売管理システムにおける受注メモの登録方法＞
本実施形態の販売管理システム１００では、ユーザ（例えば、営業担当者）が外出先で受注した情報の一部の情報を受注メモ（仮入力データ）としてクラウドサーバ１の受注明細ＤＢ（業務情報ＤＢ１３ｃ）に登録することができるようになっている。以下では、販売管理システム１００における受注メモの登録方法について説明する。
【００３４】
図６は、クラウドサーバ１へのログインを行うためのログイン画面７１を示す図である。
ログイン画面７１は、第２の端末装置４においてブラウザのプログラムが実行され、クラウドサーバ１へのログインを行うための所定のウェブサイトにアクセスした場合に表示部４５に表示される画面である。ログイン画面７１では、ログインに使用するアカウントのユーザ名を入力するテキストボックスＡ１と、パスワードを入力するテキストボックスＡ２と、ログインボタンＢ１とが表示される。
【００３５】
第２の端末装置４の操作部４４に対する入力操作により、テキストボックスＡ１にユーザ名が入力され、テキストボックスＡ２にパスワードが入力され、この状態でログインボタンＢ１を選択する入力操作が行われると、入力された認証情報がクラウドサーバ１に送信されて、アカウントＤＢ１３ｂに記憶された認証情報と照合される。入力された認証情報が、登録されているいずれかのアカウントの認証情報と一致した場合（認証情報が適正であると判別された場合）には、クラウドサーバ１のＣＰＵ１１により、当該アカウントでのクラウドサーバ１へのログイン処理が行われてログインセッションが開始される。
【００３６】
図７は、受注入力業務メニュー画面７２を示す図である。この受注入力業務メニュー画面７２は、クラウドサーバ１へログインした際に表示されるメインメニュー画面（図示省略）から受注入力業務に係るメニューボタン（図示省略）が選択操作された場合に表示される画面である。受注入力業務メニュー画面７２では、受注メモの入力に係る機能を実行させるためのアイコンＩ１が表示されている。
ユーザは、アイコンＩ１を選択する入力操作を行うことで、後述する受注メモ入力画面７３を表示部４５に表示させることができるようになっている。
【００３７】
図８は、受注メモ入力画面７３を示す図である。この受注メモ入力画面７３では、伝票日付をプルダウン形式で選択入力することが可能なプルダウンメニューＭ１と、出荷予定日及び出荷予定時刻をプルダウン形式で選択入力することが可能なプルダウンメニューＭ２とが表示されている。また、受注メモ入力画面７３では、得意先コードをプルダウン形式で選択入力することが可能なプルダウンメニューＭ３が表示されており、このプルダウンメニューＭ３で得意先コードを選択入力することにより、プルダウンメニューＭ３の右方に表示されているテキストボックスＡ３に当該得意先コード（例えば、「000003」）に対応する得意先名（例えば、「岡村商会（株）」）を自動入力することができるようになっている。また、受注メモ入力画面７３では、担当者コードをプルダウン形式で選択入力することが可能なプルダウンメニューＭ４が表示されており、このプルダウンメニューＭ４で担当者コードを選択入力することにより、プルダウンメニューＭ４の右方に表示されているテキストボックスＡ４に当該担当者コード（例えば、「000006」）に対応する担当者名（例えば、「井上健一郎」）を自動入力することができるようになっている。また、受注メモ入力画面７３では、摘要を入力することが可能なテキストボックスＡ５が表示されている。
【００３８】
また、受注メモ入力画面７３では、受注した商品ごとに、その商品の数量、単位、単価、金額、備考等を入力することが可能な一覧表Ｌ１が表示されている。この一覧表Ｌ１では、行ごとに、商品コードをプルダウン形式で選択入力することが可能なプルダウンメニューＭ５が表示されており、このプルダウンメニューＭ５で商品コードを選択入力することにより、プルダウンメニューＭ５の右方に表示されているテキストボックスＡ６に当該商品コード（例えば、「000008」）に対応する商品名（例えば、「北海しまえび」）を自動入力することができるようになっている。また、一覧表Ｌ１では、数量を入力することが可能なテキストボックスＡ５、当該数量の単位をプルダウン形式で選択入力することが可能なプルダウンメニューＭ６、及び、当該数量の単価をプルダウン形式で選択入力することが可能なプルダウンメニューＭ７が表示されており、数量、単位及び単価を入力することにより、プルダウンメニューＭ７の右方に表示されているテキストボックスＡ８に当該数量及び当該単価（例えば、数量「３」、単価「4,500」）に対応する金額（例えば、「13,500」）を自動入力することができるようになっている。また、一覧表Ｌ１では、備考を入力することが可能なテキストボックスＡ９、当該一覧表Ｌ１を行ごとに削除するための削除ボタンＢ２が表示されている。
【００３９】
また、受注メモ入力画面７３では、一覧表Ｌ１の右下方に、当該一覧表Ｌ１に新たに行を追加するための行追加ボタンＢ３が表示されるとともに、一覧表Ｌ１の左下方に、受注メモ入力画面７３において入力された内容にて登録を実行する登録ボタンＢ４、当該内容をクリアするクリアボタンＢ５が表示されている。
ユーザは、プルダウンメニューＭ１〜Ｍ７、テキストボックスＡ３〜Ａ９に必要事項を入力した上で登録ボタンＢ４を選択する入力操作を行うことで、受注メモの登録を行うことができる。
【００４０】
＜販売管理システムにおける受注伝票の作成方法＞
本実施形態の販売管理システム１００では、ローカルサーバ２又はこのローカルサーバ２とＬＡＮ６を介して接続されている第１の端末装置３において受注伝票を作成する場合、上述のようにクラウドサーバ１に登録された受注メモをローカルサーバ２に取り込み、この受注メモの内容を受注伝票入力画面に反映させた状態で受注伝票を作成することができるようになっている。以下では、販売管理システム１００における受注伝票の作成方法について説明する。なお、以下では、第１の端末装置３において受注伝票を作成する場合を想定して説明する。
【００４１】
図９は、受注伝票業務メニュー画面８１を示す図である。この受注伝票業務メニュー画面８１は、第１の端末装置３において、この第１の端末装置３とＬＡＮ６を介して接続されているローカルサーバ２の業務情報ＤＢ２３ｂに関する各種データ処理を行うための所定のソフトウエアを起動した際に表示される業務メニュー画面（図示省略）から受注伝票業務に係るファイル（図示省略）が選択操作された場合に表示される画面である。受注伝票業務メニュー画面８１では、クラウド受注取込みに係る機能、すなわち上述した受注メモをローカルサーバ２へ取り込む機能を実行させるためのメニューボタンＢ６が表示されるほか、受注伝票入力、受注伝票印刷、注文請書入力、注文請書印刷等に係る機能を実行させるためのメニューボタンＢ７〜Ｂ１０が表示されている。また、受注伝票業務メニュー画面８１では、受注伝票業務を終了するための業務終了ボタンＢ１１が表示されている。
【００４２】
また、受注伝票業務メニュー画面８１では、画面右側にサポートパネル８１ａが表示されており、このサポートパネル８１ａにおいて、各種業務に係るメッセージが表示されるようになっている。図９の例では、サポートパネル８１ａにおいて、クラウドサーバ１からまだ取り込まれていない受注メモがあることを示すメッセージＭＳが表示されている。また、受注伝票業務メニュー画面８１では、上記のメッセージＭＳの表示に伴ってクラウド受注取込みに係る機能を実行させるためのメニューボタンＢ６が強調表示されている。
ユーザは、このメニューボタンＢ６を選択する入力操作を行うことで、後述するクラウド受注取込画面８２を表示部３５に表示させることができるようになっている。
【００４３】
図１０は、クラウド受注取込画面８２を示す図である。このクラウド受注取込画面８２では、受注メモの取込みを開始する処理開始ボタンＢ１２と、受注メモの取込みを終了する処理終了ボタンＢ１３とが表示されている。
ユーザは、この処理開始ボタンＢ１２を選択する入力操作を行うことで、クラウドサーバ１からローカルサーバ２へ受注メモを取り込むことができるようになっている。そして、ローカルサーバ２へ受注メモが取り込まれると、後述する受注伝票入力画面８３が表示部３５に表示されるようになっている。
【００４４】
図１１は、受注メモを取り込んだ後に表示される受注伝票入力画面８３（データ入力フォーム）を示す図である。受注伝票入力画面８３では、伝票番号、伝票日付、得意先コード、得意先名、宛先、担当者コード、出荷予定日・出荷時刻、摘要をそれぞれ入力するためのテキストボックスＡ１０〜Ａ１７や、受注した商品に関する情報を入力するための受注商品一覧表Ｌ２、受注伝票入力画面８３に表示された内容に対する訂正を中止するための訂正中止ボタンＢ１４、受注伝票入力画面８３に表示された内容に対する訂正を確定するための訂正確定ボタンＢ１５、受注伝票入力画面８３を閉じるための処理終了ボタンＢ１６などが表示されている。
【００４５】
図１１の例では、図８に示す内容の受注メモが取り込まれた後、新たにユーザの入力操作によって、テキストボックスＡ１４に宛先である「経理部  経理課」が入力されるとともに、受注商品一覧表Ｌ２の仕入単価の欄に「北海しまえび」及び「筋子（醤油）」の仕入単価として「2,700」、「3,700」が入力された状態を示している。なお、受注商品一覧表Ｌ２に表示されている粗利は、この表に入力された数量、売上単価及び仕入単価の値から自動的に算出されるようになっている。
ユーザは、受注伝票入力画面８３において必要事項を追加したり訂正した上で訂正確定ボタンＢ１５を選択する入力操作を行うことで、受注伝票の登録（所定の登録処理）を行うことができる。つまり、ここで正式入力データが登録されたこととなる。
【００４６】
図１２は、図１１に示す受注伝票入力画面８３において受注商品一覧表Ｌ２に新たに受注商品を追加入力した受注伝票入力画面８４を示す図である。
具体的には、図１２の例では、受注商品一覧表Ｌ２の３行目に商品コード「000015」、商品名「生ホタテ貝柱」、数量「3」、単位名「箱」、売上単価「1,500」、仕入単価「700」の各データが追加入力され、この追加入力に伴い、売上金額「4,500」、粗利「2,400、53.3%」のデータが自動入力された状態が示されている。つまり、受注商品一覧表Ｌ２の３行目に追加入力された上記の各データはクラウドサーバ１より取り込まれた受注メモと内容が異なるデータをなしている。
【００４７】
ユーザは、受注伝票入力画面８４において訂正確定ボタンＢ１５を選択する入力操作を行うことで、受注伝票の登録を行うことができる。つまり、ここで正式入力データが登録されたこととなる。その後、ユーザは、受注伝票業務メニュー画面８１（図９参照）において、例えば、注文書印刷に係る機能を実行させるためのメニューボタンＢ１０を選択する入力操作を行うとともに上記の受注伝票の伝票番号（例えば、「600000656」）の入力操作を行うことで、当該受注伝票の注文内容に基づく注文書のプレビューを注文書印刷画面８５に表示させることができるようになっている。
【００４８】
図１３は、注文書印刷画面８５を示す図である。図１３の例では、図１２に示す受注伝票入力画面８４の内容にて登録がなされた受注伝票の注文内容に基づく注文書のプレビューが表示されている。ここで、受注伝票入力画面８４の受注商品一覧表Ｌ２の３行目に追加入力された各データは、上述のようにクラウドサーバ１より取り込まれた受注メモと内容が異なるデータであるため、図１３に示すように、注文書のプレビューでは、これらのデータに対応する商品「生ホタテ貝柱」、数量「3」、単位名「箱」、単価「1,500」及び売上金額「4,500」の文字がそれぞれ赤文字（図中では白抜き文字）で表示されるようになっている。
【００４９】
一方、クラウドサーバ１より取り込まれた受注メモのうち、例えば、「筋子（醤油）」に関するデータが受注伝票入力画面から削除された状態で登録がなされた受注伝票の注文内容に基づく注文書のプレビューが注文書印刷画面に表示される場合、図１４の注文書印刷画面８６に示すように、商品「筋子（醤油）」、数量「2」、単位名「箱」、単価「6,000」及び売上金額「12,000」の文字に取り消し線が付加されて表示されるようになっている。また、例えば、「北海しまえび」に関する数量のデータが変更された状態（例えば、「3」から「4」に変更された状態）で登録がなされた受注伝票の注文内容に基づく注文書のプレビューが注文書印刷画面に表示される場合、図示は省略するが、当該注文書のプレビューでは、変更前の数量「3」及び売上金額「13,500」の文字に取消線が付加されて表示されるとともに、変更後の数量「4」及び売上金額「18,000」の文字がそれぞれ変更前の数量「3」及び売上金額「13,500」の文字の近傍に赤文字で表示されるようになっている。
【００５０】
また、図１３及び図１４に示す注文書印刷画面８５，８６では、印刷を実行するための印刷ボタンＢ１７と、当該画面を閉じるための終了ボタンＢ１８とが表示されている。
【００５１】
＜販売管理システムを利用した受注業務の流れ＞
次に、図１５を参照して、本実施形態の販売管理システム１００を利用した受注業務の流れについて説明する。図１５は、販売管理システム１００を利用した受注業務の流れの一例を示すフローチャートである。ここで、図１５に示すローカルサーバ環境とは、ローカルサーバ２と、このローカルサーバ２とＬＡＮ６を介して接続されている第１の端末装置３とを示すものである。
【００５２】
なお、ローカルサーバ環境の各処理は、ローカルサーバ２の業務情報ＤＢ２３ｂに関する各種データ処理を行うための所定のソフトウエアが起動された場合に実行される処理である。以下では、ローカルサーバ２において上記所定のソフトウエアが起動された場合を想定して説明を行うが、当該ローカルサーバ２と接続されている第１の端末装置３において上記所定のソフトウエアが起動された場合にもローカルサーバ環境の各処理が実行される。
【００５３】
図１５に示すように、クラウドサーバ１のＣＰＵ１１は、先ず、受注メモ登録処理を実行する（ステップＳ１０１）。なお、受注メモ登録処理の詳細については、後述する。
【００５４】
次いで、クラウドサーバ１のＣＰＵ１１は、ローカルサーバ２から送信された取込要求信号（後述）を受信したことを契機として、当該取込要求信号を送信したローカルサーバ２へ対応する受注メモを送信する（ステップＳ１０２）。
【００５５】
次いで、クラウドサーバ１のＣＰＵ１１は、ローカルサーバ２において受注伝票の登録がなされ業務情報ＤＢ２３ｂが更新された場合、当該ローカルサーバ２との間において、当該ローカルサーバ２の業務情報ＤＢ２３ｂに対応する業務情報ＤＢ１３ｃの同期を図る業務情報ＤＢ同期処理を実行し（ステップＳ１０３）、処理をステップＳ１０１へ戻す。
【００５６】
一方、ローカルサーバ２のＣＰＵ２１は、先ず、クラウドサーバ１の受注明細ＤＢを所定時間（例えば、５分間）ごとに監視し（ステップＳ２０１）、未取込みの受注メモがあるか否かを判定する（ステップＳ２０２）。
【００５７】
ステップＳ２０２において、未取込みの受注メモが無いと判定された場合（ステップＳ２０２；ＮＯ）、ローカルサーバ２のＣＰＵ２１は、処理をステップＳ２０１へ戻す。
一方、ステップＳ２０２において、未取込みの受注メモがあると判定された場合（ステップＳ２０２；ＹＥＳ）、ローカルサーバ２のＣＰＵ２１は、図９に示すように、クラウドサーバ１からまだ取り込まれていない受注メモがあることを示すメッセージＭＳ（気付き表示）を受注伝票業務メニュー画面８１のサポートパネル８１ａに表示させる（ステップＳ２０３）。
【００５８】
次いで、ローカルサーバ２のＣＰＵ２１は、受注伝票業務メニュー画面８１において、操作部２４を介して、クラウド受注取込みに係る機能を実行させるためのメニューボタンＢ６を選択する入力操作がなされたか否かを判定する（ステップＳ２０４）。
【００５９】
ステップＳ２０４において、クラウド受注取込みに係る機能を実行させるためのメニューボタンＢ６を選択する入力操作がなされていないと判定された場合（ステップＳ２０４；ＮＯ）、ローカルサーバ２のＣＰＵ２１は、処理をステップＳ２０３へ戻す。
一方、ステップＳ２０４において、クラウド受注取込みに係る機能を実行させるためのメニューボタンＢ６を選択する入力操作がなされたと判定された場合（ステップＳ２０４；ＹＥＳ）、ローカルサーバ２のＣＰＵ２１は、図１０に示すクラウド受注取込画面８２を表示部２５に表示させる（ステップＳ２０５）。
【００６０】
次いで、ローカルサーバ２のＣＰＵ２１は、クラウド受注取込画面８２において、操作部２４を介して、処理開始ボタンＢ１２を選択する入力操作がなされたか否かを判定する（ステップＳ２０６）。
【００６１】
ステップＳ２０６において、処理開始ボタンＢ１２を選択する入力操作がなされていない、すなわち、処理終了ボタンＢ１３を選択する入力操作がなされたと判定された場合（ステップＳ２０６；ＮＯ）、ローカルサーバ２のＣＰＵ２１は、処理をステップＳ２０３に戻す。
一方、ステップ７Ｓ２０６において、処理開始ボタンＢ１２を選択する入力操作がなされたと判定された場合（ステップＳ２０６；ＹＥＳ）、ローカルサーバ２のＣＰＵ２１は、クラウドサーバ１に対して取込要求信号を送信する（ステップＳ２０７）。
【００６２】
次いで、ローカルサーバ２のＣＰＵ２１は、クラウドサーバ１から受注メモを取り込み（ステップＳ２０８）、図１１に示すように、当該受注メモの内容を反映させた状態の受注伝票入力画面８３を表示部２５に表示させる（ステップＳ２０９）。
【００６３】
次いで、ローカルサーバ２のＣＰＵ２１は、受注伝票入力画面８３において、操作部２４を介して、訂正確定ボタンＢ１５を選択する入力操作がなされたか否かを判定する（ステップＳ２１０）。
【００６４】
ステップＳ２１０において、訂正確定ボタンＢ１５を選択する入力操作がなされていないと判定された場合（ステップＳ２１０；ＮＯ）、ローカルサーバ２のＣＰＵ２１は、処理をステップＳ２０９へ戻す。
一方、ステップＳ２１０において、訂正確定ボタンＢ１５を選択する入力操作がなされたと判定された場合（ステップＳ２１０；ＹＥＳ）、ローカルサーバ２のＣＰＵ２１は、業務情報ＤＢ２３ｂを更新し（ステップＳ２１１）、当該ローカルサーバ２の業務情報ＤＢ２３ｂと、クラウドサーバ１の当該ローカルサーバ２の業務情報ＤＢ２３ｂに対応する業務情報ＤＢ１３ｃとを同期させ（ステップＳ２１２）、処理をステップＳ２０１へ戻す。
【００６５】
図１６は、受注メモ登録処理を示すフローチャートである。
受注メモ登録処理が呼び出されると、クラウドサーバ１のＣＰＵ１１は、第２の端末装置４の表示部４５に表示させたログイン画面７１（図６参照）において、認証情報（例えば、ユーザ名及びパスワード）の入力を伴うログイン要求がなされたか否かを判定する（ステップＳ１０１ａ）。
【００６６】
ステップＳ１０１ａにおいて、ログイン要求がなされていないと判定された場合（ステップＳ１０１ａ；ＮＯ）、クラウドサーバ１のＣＰＵ１１は、処理をステップＳ１０１ａに戻す。
一方、ステップＳ１０１ａにおいて、ログイン要求がなされたと判定された場合（ステップＳ１０１ａ；ＹＥＳ）、クラウドサーバ１のＣＰＵ１１は、入力された認証情報に対する認証が成功したか否かを判定する（ステップＳ１０１ｂ）。本実施形態では、クラウドサーバ１のＣＰＵ１１は、入力された認証情報と、アカウントＤＢ１３ｂに記憶されているいずれかのアカウントに係る認証情報と、が一致する場合に、認証が成功したと判定する。
【００６７】
ステップＳ１０１ｂにおいて、入力された認証情報に対する認証が成功していない、すなわち失敗したと判定された場合（ステップＳ１０１ｂ；ＮＯ）、クラウドサーバ１のＣＰＵ１１は、処理をステップＳ１０１ａに戻す。
一方、ステップＳ１０１ｂにおいて、入力された認証情報に対する認証が成功したと判定された場合（ステップＳ１０１ｂ；ＹＥＳ）、クラウドサーバ１のＣＰＵ１１は、メインメニュー画面（図示省略）を表示部４５に表示させる（ステップＳ１０１ｃ）。
【００６８】
次いで、クラウドサーバ１のＣＰＵ１１は、メインメニュー画面において、操作部４４を介して、ログアウト操作がなされたか否かを判定する（ステップＳ１０１ｄ）。
【００６９】
ステップＳ１０１ｄにおいて、ログアウト操作がなされたと判定された場合（ステップＳ１０１ｄ；ＹＥＳ）、クラウドサーバ１のＣＰＵ１１は、受注メモ登録処理を終了する。
一方、ステップＳ１０１ｄにおいて、ログアウト操作がなされていないと判定された場合（ステップＳ１０１ｄ；ＮＯ）、クラウドサーバ１のＣＰＵ１１は、メインメニュー画面において、操作部４４を介して、受注入力業務に係るメニューボタン（図示省略）を選択する入力操作がなされたか否かを判定する（ステップＳ１０１ｅ）。
【００７０】
ステップＳ１０１ｅにおいて、受注入力業務に係るメニューボタンを選択する入力操作がなされていないと判定された場合（ステップＳ１０１ｅ；ＮＯ）、クラウドサーバ１のＣＰＵ１１は、処理をステップＳ１０１ｄに戻す。
一方、ステップＳ１０１ｅにおいて、受注入力業務に係るメニューボタンを選択する入力操作がなされたと判定された場合（ステップＳ１０１ｅ；ＹＥＳ）、クラウドサーバ１のＣＰＵ１１は、図７に示すように、受注入力業務メニュー画面７２を表示部４５に表示させる（ステップＳ１０１ｆ）。
【００７１】
次いで、クラウドサーバ１のＣＰＵ１１は、受注入力業務メニュー画面７２において、操作部４４を介して、受注メモの入力に係る機能を実行させるためのアイコンＩ１を選択する入力操作がなされたか否かを判定する（ステップＳ１０１ｇ）。
【００７２】
ステップＳ１０１ｇにおいて、受注メモの入力に係る機能を実行させるためのアイコンＩ１を選択する入力操作がなされていないと判定された場合（ステップＳ１０１ｇ；ＮＯ）、クラウドサーバ１のＣＰＵ１１は、処理をステップＳ１０１ｆに戻す。
一方、ステップＳ１０１ｇにおいて、受注メモの入力に係る機能を実行させるためのアイコンＩ１を選択する入力操作がなされたと判定された場合（ステップＳ１０１ｇ；ＹＥＳ）、クラウドサーバ１のＣＰＵ１１は、図８に示すように、受注メモ入力画面７３を表示部４５に表示させる（ステップＳ１０１ｈ）。
【００７３】
次いで、クラウドサーバ１のＣＰＵ１１は、受注メモ入力画面７３において、操作部４４を介して、登録ボタンＢ４を選択する入力操作がなされたか否かを判定する（ステップＳ１０１ｉ）。
【００７４】
ステップＳ１０１ｉにおいて、登録ボタンＢ４を選択する入力操作がなされたと判定された場合（ステップＳ１０１ｉ；ＹＥＳ）、クラウドサーバ１のＣＰＵ１１は、受注メモを受注明細ＤＢに登録し（ステップＳ１０１ｊ）、処理をステップＳ１０１ｋに移行させる。
一方、ステップＳ１０１ｉにおいて、登録ボタンＢ４を選択する入力操作がなされていないと判定された場合（ステップＳ１０１ｉ；ＮＯ）、クラウドサーバ１のＣＰＵ１１は、ステップＳ１０１ｊをスキップして、処理をステップＳ１０１ｋに移行させる。
【００７５】
次いで、ステップＳ１０１ｋにおいて、クラウドサーバ１のＣＰＵ１１は、受注入力業務の終了操作がなされたか否かを判定する（ステップＳ１０１ｋ）。
【００７６】
ステップＳ１０１ｋにおいて、受注入力業務の終了操作がなされていないと判定された場合（ステップＳ１０１ｋ；ＮＯ）、クラウドサーバ１のＣＰＵ１１は、処理をステップＳ１０１ｆに戻す。
一方、ステップＳ１０１ｋにおいて、受注入力業務の終了操作がなされたと判定された場合（ステップＳ１０１ｋ；ＹＥＳ）、クラウドサーバ１のＣＰＵ１１は、処理をステップＳ１０１ｃに戻す。
【００７７】
次に、ローカルサーバ環境で実行される注文書プレビュー表示処理について、図１７を用いて説明する。図１７は、注文書プレビュー表示処理を示すフローチャートである。なお、注文書プレビュー表示処理は、ローカルサーバ環境において、ローカルサーバ２の業務情報ＤＢ２３ｂに関する各種データ処理を行うための上記所定のソフトウエアが起動された場合に実行される処理である。
【００７８】
図１７に示すように、ローカルサーバ２のＣＰＵ２１は、先ず、受注伝票業務メニュー画面８１（図９参照）において、注文書印刷に係るメニューボタンＢ１０の操作及び伝票番号の入力操作がなされたか否かを判定する（ステップＳ３０１）。
【００７９】
ステップＳ３０１において、注文書印刷に係るメニューボタンＢ１０の操作及び伝票番号の入力操作がなされていないと判定された場合（ステップＳ３０１；ＮＯ）、ローカルサーバ２のＣＰＵ２１は、注文書プレビュー表示処理を終了する。
一方、ステップＳ３０１において、注文書印刷に係るメニューボタンＢ１０の操作及び伝票番号の入力操作がなされたと判定された場合（ステップＳ３０１；ＹＥＳ）、ローカルサーバ２のＣＰＵ２１は、入力された伝票番号の受注伝票と受注メモとを業務情報ＤＢ２３ｂから読み出し、当該受注伝票の内容に当該受注メモの内容との差異があるか否かを判定する（ステップＳ３０２）。
【００８０】
ステップＳ３０２において、受注伝票の内容に受注メモの内容との差異がないと判定された場合（ステップＳ３０２；ＮＯ）、ローカルサーバ２のＣＰＵ２１は、注文書印刷画面において、当該受注伝票の内容に基づく注文書について通常のプレビュー表示を行い（ステップＳ３０３）、注文書プレビュー表示処理を終了する。
【００８１】
一方、ステップＳ３０２において、受注伝票の内容に受注メモの内容との差異があると判定された場合（ステップＳ３０２；ＹＥＳ）、ローカルサーバ２のＣＰＵ２１は、注文書印刷画面において、当該受注伝票の内容に基づく注文書について、受注メモの内容と相違するデータを識別可能な態様でプレビュー表示させる（ステップＳ３０４）。具体的には、ローカルサーバ２のＣＰＵ２１は、受注メモの内容に対して追加及び／又は変更されたデータを赤文字でプレビュー表示させ（図１３参照）、また、受注メモから削除されたデータについては当該データに取消線を付してプレビュー表示させる（図１４参照）。そして、ローカルサーバ２のＣＰＵ２１は、注文書プレビュー表示処理を終了する。
【００８２】
以上、本実施の形態によれば、販売管理システム１００は、クラウドサーバ１にて、受注伝票の登録処理（所定の登録処理）に用いられる受注メモ（仮入力データ）の入力を第２の端末装置４から受け付ける。そして、ローカルサーバ２にて、クラウドサーバ１により受け付けられた受注メモを受注伝票の登録処理に用いられる受注伝票入力画面（データ入力フォーム）に反映させ、当該受注メモが反映された受注伝票入力画面に対する正式入力データの入力を第１の端末装置３又は当該ローカルサーバ２から受け付け、当該正式入力データを第１の端末装置３の表示部３５又は当該ローカルサーバ２の表示部２５に表示させる。また、販売管理システム１００は、第１の端末装置３の表示部３５又は当該ローカルサーバ２の表示部２５に正式入力データを表示（プレビュー表示）させる際に、受注メモと内容が異なるデータを識別可能な表示態様で表示させる。
【００８３】
このため、正式入力データが表示された際に、受注メモと内容が異なるデータがある場合には、当該データを一見して認識することができるようになるので、当該データについて検討することができ、取引データの入力手続きにおける内容変更を容易に把握することができる。
【００８４】
また、販売管理システム１００は、正式入力データを表示させる際に、受注メモに対して新たに加えられたデータを識別可能な表示態様で表示させるので、当該新たに加えられたデータを一見して認識することができるようになる。このため、当該データについて検討することができ、取引データの入力手続きにおける内容変更を容易に把握することができる。
【００８５】
また、販売管理システム１００は、正式入力データを表示させる際に、受注メモのうち内容が変更されたデータを識別可能な表示態様で表示させるので、当該内容が変更されたデータを一見して認識することができるようになる。このため、当該データについて検討することができ、取引データの入力手続きにおける内容変更を容易に把握することができる。
【００８６】
また、販売管理システム１００は、正式入力データを表示させる際に、受注メモのうちから削除されたデータを識別可能な表示態様で表示させるので、当該削除されたデータを一見して認識することができるようになる。このため、当該データについて検討することができ、取引データの入力手続きにおける内容変更を容易に把握することができる。
【００８７】
以上の説明では、本発明に係るクラウドサーバ１のプログラム１３ａのコンピュータ読み取り可能な媒体として記憶部１３のＨＤＤ、ＳＳＤ等を使用した例を、また、ローカルサーバ２のプログラム２３ａのコンピュータ読み取り可能な媒体として記憶部２３のＨＤＤ、ＳＳＤ等を使用した例を開示したが、この例に限定されない。その他のコンピュータ読み取り可能な媒体として、ＣＤ−ＲＯＭ等の可搬型記録媒体を適用することが可能である。また、本発明に係るクラウドサーバ１のプログラム１３ａ及びローカルサーバ２のプログラム２３ａのデータを通信回線を介して提供する媒体として、キャリアウエーブ（搬送波）も本発明に適用される。
【００８８】
なお、上記実施の形態における記述は、本発明に係る情報処理装置、プログラム及び情報処理システムの一例であり、これに限定されるものではない。
【００８９】
また、上記実施の形態における販売管理システム１００の各構成要素の細部構成及び細部動作に関しては、本発明の趣旨を逸脱することのない範囲で適宜変更可能であることは勿論である。
【００９０】
例えば、上記実施の形態では、所定の登録処理として受注伝票の登録処理を例に挙げて、当該受注伝票の登録処理に係る一連の流れについて説明を行ったが、その他の伝票（例えば、発注伝票や在庫移動伝票）や帳簿の登録処理についても適用することができる。
【００９１】
また、上記実施の形態では、例えば、ローカルサーバ２において、正式入力データを表示（プレビュー表示）させる際に、受注メモに対して新たに加えられたデータを赤文字で表示させるようにしたが、当該データを識別可能な表示態様であれば赤文字で表示させる場合に限らず、太文字で表示させたり点滅表示させたりしても良い。受注メモのうち内容が変更されたデータについても同様である。
【００９２】
また、上記実施の形態では、例えば、ローカルサーバ２において受注メモ（仮入力データ）を受注伝票入力画面（データ入力フォーム）に反映させる際に、当該受注メモの所定の項目（例えば、数量や単価等）のデータの内容が新規の内容である場合、当該データを識別可能な態様（例えば、赤文字等）で反映させるようにしても良い。
【００９３】
また、上記実施の形態では、ローカルサーバ環境とは、ローカルサーバ２と、このローカルサーバ２とＬＡＮ６を介して接続されている第１の端末装置３とで構成されるものとしたが、ローカルサーバ２単体であっても良い。
【００９４】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
所定の登録処理に用いられる仮入力データの入力を一の端末装置から受け付ける第１の受付手段と、
前記第１の受付手段により受け付けられた前記仮入力データを前記所定の登録処理に用いられるデータ入力フォームに反映させる反映手段と、
前記反映手段により前記仮入力データが反映された前記データ入力フォームに対する正式入力データの入力を前記一の端末装置とは異なる他の端末装置又は当該情報処理装置から受け付ける第２の受付手段と、
前記第２の受付手段により受け付けられた前記正式入力データを表示手段に表示させる表示制御手段と、
を備え、
前記表示制御手段は、前記正式入力データを表示させる際に、前記第１の受付手段により受け付けられた前記仮入力データと内容が異なるデータを識別可能な表示態様で表示させることを特徴とする情報処理装置。
＜請求項２＞
前記表示制御手段は、前記正式入力データを表示させる際に、前記第１の受付手段により受け付けられた前記仮入力データに対して新たに加えられたデータを識別可能な表示態様で表示させることを特徴とする請求項１に記載の情報処理装置。
＜請求項３＞
前記表示制御手段は、前記正式入力データを表示させる際に、前記第１の受付手段により受け付けられた前記仮入力データのうち内容が変更されたデータを識別可能な表示態様で表示させることを特徴とする請求項１又は２に記載の情報処理装置。
＜請求項４＞
前記表示制御手段は、前記正式入力データを表示させる際に、前記第１の受付手段により受け付けられた前記仮入力データのうちから削除されたデータを識別可能な表示態様で表示させることを特徴とする請求項１〜３のいずれか一項に記載の情報処理装置。
＜請求項５＞
前記反映手段は、前記仮入力データを前記データ入力フォームに反映させる際に、当該仮入力データの所定の項目のデータの内容が新規の内容である場合、当該データを識別可能な態様で反映させることを特徴とする請求項１〜４のいずれか一項に記載の情報処理装置。
＜請求項６＞
コンピュータを、
所定の登録処理に用いられる仮入力データの入力を一の端末装置から受け付ける第１の受付手段、
前記第１の受付手段により受け付けられた前記仮入力データを前記所定の登録処理に用いられるデータ入力フォームに反映させる反映手段、
前記反映手段により前記仮入力データが反映された前記データ入力フォームに対する正式入力データの入力を前記一の端末装置とは異なる他の端末装置又は当該情報処理装置から受け付ける第２の受付手段、
前記第２の受付手段により受け付けられた前記正式入力データを表示手段に表示させる表示制御手段、
として機能させ、
前記表示制御手段は、前記正式入力データを表示させる際に、前記第１の受付手段により受け付けられた前記仮入力データと内容が異なるデータを識別可能な表示態様で表示させるプログラム。
＜請求項７＞
ローカルサーバと、当該ローカルサーバとネットワークを介して接続されるクラウド環境に設けられたクラウドサーバと、を備える情報処理システムであって、
前記クラウドサーバは、
所定の登録処理に用いられる仮入力データの入力を一の端末装置から受け付ける第１の受付手段と、
前記ローカルサーバからの送信要求に基づき、前記仮入力データを当該ローカルサーバへ送信する送信手段と、
を備え、
前記ローカルサーバは、
自ローカルサーバで実行される前記所定の登録処理に用いられる前記仮入力データが前記クラウドサーバに受け付けられているか監視する監視手段と、
前記監視手段により前記仮入力データが受け付けられていると判別された場合に、前記クラウドサーバに対して当該仮入力データの送信を要求する送信要求手段と、
前記送信要求手段により送信の要求がなされた前記仮入力データを受信する受信手段と、
前記受信手段により受信された前記仮入力データを、前記所定の登録処理に用いられるデータ入力フォームに反映させる反映手段と、
前記反映手段により前記仮入力データが反映された前記データ入力フォームに対する正式入力データの入力を前記一の端末装置とは異なる他の端末装置又は当該ローカルサーバから受け付ける第２の受付手段と、
前記第２の受付手段により受け付けられた前記正式入力データを表示手段に表示させる表示制御手段と、
を備え、
前記表示制御手段は、前記正式入力データを表示させる際に、前記第１の受付手段により受け付けられた前記仮入力データと内容が異なるデータを識別可能な表示態様で表示させることを特徴とする情報処理システム。
【符号の説明】
【００９５】
１００  販売管理システム
１  クラウドサーバ
１１  ＣＰＵ
１２  ＲＡＭ
１３  記憶部
１３ａ  プログラム
１３ｂ  アカウントＤＢ
１３ｃ  業務情報ＤＢ
１４  操作部
１５  表示部
１６  通信部
１７  バス
２  ローカルサーバ
２１  ＣＰＵ
２２  ＲＡＭ
２３  記憶部
２３ａ  プログラム
２３ｃ  業務情報ＤＢ
２４  操作部
２５  表示部
２６  通信部
２７  バス
３  第１の端末装置
４  第２の端末装置
５  インターネット
６  ＬＡＮ
【図１】
0006988233.tif 000002
【図２】
0006988233.tif 000003
【図３】
0006988233.tif 000004
【図４】
0006988233.tif 000005
【図５】
0006988233.tif 000006
【図６】
0006988233.tif 000007
【図７】
0006988233.tif 000008
【図８】
0006988233.tif 000009
【図９】
0006988233.tif 000010
【図１０】
0006988233.tif 000011
【図１１】
0006988233.tif 000012
【図１２】
0006988233.tif 000013
【図１３】
0006988233.tif 000014
【図１４】
0006988233.tif 000015
【図１５】
0006988233.tif 000016
【図１６】
0006988233.tif 000017
【図１７】
0006988233.tif 000018